(57)【要約】      （修正有）【課題】開傘したときの平面形状が略楕円形状の傘において、開傘する際に、親骨や傘布などが使用者に接触しない傘を提供する。【解決手段】複数本の親骨４１，４２，４３は長さが異なり、下はじきは、中棒１から弾発的に外方に突出する突出部８１を有する。そして、平面視において、中棒１から弾発的に外方に突出した下はじきの突出部８１の突出方向と、最も長い親骨４３の中棒１からの延出方向とのなす角度θを絶対値で９０°以上とする。より好ましい角度θは絶対値で１５０°〜１８０°の範囲である。【選択図】図１
0003170930.tif 000002
【実用新案登録請求の範囲】
【請求項１】
中棒と、中棒の上端に固定された上ろくろと、中棒に摺動自在に外挿された下ろくろと、上ろくろの外周部に一方端が放射状に軸支された複数本の親骨と、下ろくろの上部外周部に一方端が放射状に軸支され、他方端が親骨の長さ方向の途中部に軸支された複数本の受け骨と、複数本の親骨間に張設された傘布と、中棒の下部に設けられ、下ろくろを係止して閉傘状態を維持する下はじきとを備えた傘において、
前記複数本の親骨は長さが異なり、前記下はじきは、前記中棒から弾発的に外方に突出する突出部を有し、
平面視において、前記中棒を中心として、前記突出部の前記中棒からの突出方向と、最も長い親骨の前記中棒からの延出方向とのなす角度が絶対値で９０°以上であることを特徴とする傘。
【請求項２】
前記突出部の突出方向と最も長い親骨の延出方向とのなす角度が絶対値で１５０°〜１８０°の範囲である請求項１記載の傘。
【請求項３】
前記複数本の親骨の１本が最も長く、この最も長い親骨に隣接する２本の親骨が次に長く、その他の親骨はこれらの親骨より短く且つ同じ長さである請求項１又は２記載の傘。
【請求項４】
前記中棒の下端に、半円状の屈曲部を有する持ち手をさらに備え、
平面視において、前記中棒を中心として、前記持ち手の前記中棒からの突出方向と、前記突出部の前記中棒からの突出方向とのなす角度が絶対値で９０°以上である請求項１〜３のいずれかに記載の傘。
【請求項５】
前記複数本の親骨はすべて折り畳み不能である請求項１〜４のいずれかに記載の傘。
【請求項６】
最も長い親骨が折り畳み可能である請求項１〜４のいずれかに記載の傘。
【考案の詳細な説明】
【技術分野】
【０００１】
本考案は傘に関し、より詳細には、親骨の長さが異なり、開傘したときの平面形状が略楕円形状である傘に関するものである。
【背景技術】
【０００２】
これまでの傘の大半は、雨傘および日傘を問わず、同じ長さの親骨の一方端が中棒を中心として周方向に等角度に軸支され、開傘したときの平面形状は略円形状であった。このため、開傘状態として中棒の手元を使用者が持つと、中棒から偏倚した位置に使用者の身体が位置することになり、例えば雨傘の場合には、背中や腕などが濡れることがあった。
【０００３】
そこで、開傘したときの平面形状を略楕円形状として、背中や腕などが濡れないようにした傘が、これまでから種々提案されている。例えば特許文献１では、異なる長さの親骨を用いて開傘したときの平面形状が略楕円形状の傘が提案されている。
【先行技術文献】
【特許文献】
【０００４】
【特許文献１】特開2003-9921号公報
【考案の概要】
【考案が解決しようとする課題】
【０００５】
しかしながら、親骨の長さが異なる傘の場合、開傘する際に、長い親骨が使用者の方向に開くと、使用者に親骨及び傘布が接触するおそれがある。
【０００６】
そこで本考案は、このような不具合を鑑みてなされたものであり、その目的は、開傘したときの平面形状が略楕円形状の傘において、開傘する際に、親骨や傘布などが使用者に接触しないようにすることにある。
【課題を解決するための手段】
【０００７】
前記目的を達成する本考案に係る傘は、中棒と、中棒の上端に固定された上ろくろと、中棒に摺動自在に外挿された下ろくろと、上ろくろの外周部に一方端が放射状に軸支された複数本の親骨と、下ろくろの上部外周部に一方端が放射状に軸支され、他方端が親骨の長さ方向の途中部に軸支された複数本の受け骨と、複数本の親骨間に張設された傘布と、中棒の下部に設けられ、下ろくろを係止して閉傘状態を維持する下はじきとを備えた傘であって、前記複数本の親骨の一部は長さが異なり、前記下はじきは、前記中棒から弾発的に外方に突出する突出部を有し、平面視において、前記中棒を中心として、前記突出部の前記中棒からの突出方向と、最も長い親骨の前記中棒からの延出方向とのなす角度が絶対値で９０°以上であることを特徴とする。
【０００８】
前記突出部の突出方向と最も長い親骨の延出方向とのなす角度としては絶対値で１５０°〜１８０°の範囲であるのがより好ましい。
【０００９】
前記複数本の親骨の１本を最も長くし、この最も長い親骨に隣接する２本の親骨を次に長くし、その他の親骨はこれらの親骨より短く且つ同じ長さとしてもよい。
【００１０】
前記中棒の下端に、半円状の屈曲部を有する持ち手をさらに備える場合、平面視において、前記中棒を中心として、前記持ち手の前記中棒からの突出方向と、前記突出部の前記中棒からの突出方向とのなす角度を絶対値で９０°以上とするのが好ましい。
【００１１】
また、前記複数本の親骨を折り畳み不能としてもよい。
【００１２】
あるいは、中棒の長さを所定長さに抑える観点から、最も長い親骨を折り畳み可能としてもよい。
【考案の効果】
【００１３】
本考案に係る傘では、平面視において、下はじきに形成された突出部の、中棒からの突出方向と、最も長い親骨の中棒からの延出方向とのなす角度を絶対値で９０°以上としたので、使用者が下はじきの突出部を中棒に押し込んで、下はじきと下ろくろとの係止を解除し開傘する際に、最も長い親骨が使用者の方向に向かって開くことがない。これにより、親骨や傘布などが使用者に接触することが防止できる。
【図面の簡単な説明】
【００１４】
【図１】突出部の突出方向と親骨の延出方向とのなす角度を示す傘の平面図である。
【図２】平面形状の異なる傘の場合における、突出部の突出方向と親骨の延出方向とのなす角度を示す傘の平面図である。
【図３】本考案に係る傘の一例を示す斜視図である。
【図４】図３の傘の垂直断面図である。
【図５】上はじきの構造を示す垂直断面図である。
【図６】下はじきの構造を示す垂直断面図である。
【図７】下はじきと下ろくろとの係止状態を示す斜視図である。
【図８】自動開傘機構を備えた傘の、下はじき付近の部分断面図である。
【図９】最も長い親骨を折り畳み可能とした傘の垂直断面図である。
【考案を実施するための形態】
【００１５】
以下、本考案に係る傘について図に基づいて説明するが、本考案はこれらの実施形態に何ら限定されるものではない。
【００１６】
図３に、本考案に係る傘の一実施形態を示す開傘状態の斜視図を示す。図３に示す傘は、傘の中心となる中棒１と、中棒１の下端に取り付けられた半円状の屈曲部を有する持ち手９と、中棒１の上端に固定された上ろくろ２と、中棒１に摺動自在に外挿された下ろくろ３と、上ろくろ２の外周に周方向に等間隔で一方端が放射状に軸支された８本の親骨４１，４２，４３と、下ろくろ３の上部外周部に周方向に等間隔で一方端が放射状に軸支され、他方端が親骨４１，４２，４３の長さ方向の途中部に軸支された８本の受け骨５と、親骨間に張設された傘布６と、中棒１の上部に設けられた上はじき７と、中棒１の下部に設けられた下はじき８とを備える。
【００１７】
８本の親骨のうち、親骨４３が最も長く、親骨４３に隣接する２本の親骨４２，４２が次に長く、残る５本の親骨４１はこれらの親骨よりも短く且つ同じ長さである。親骨４１，４２，４３の長さ及び取付位置をこのようにすることによって、開傘したときの傘の平面形状が略楕円形状となる（図１を参照）。もちろん、本考案に係る傘はこのような平面形状に限定されるものではなく、例えば図２に示すような形状であっても構わない。図２に示す傘は、２本の隣り合う親骨４３が最も長く、これらの親骨４３に隣接する２本の親骨４２が次に長く、残る４本の親骨４１は同じ長さとしたものである。
【００１８】
図４に、図３に示す傘における親骨４１と親骨４３とを通る線での垂直断面図を示す。下ろくろ３を中棒１に沿って上方に摺動させると、受け骨５によって親骨４１，４２，４３が押し上げられて開傘状態となる。一方、下ろくろ３を中棒１に沿って下方に摺動させると、受け骨５によって親骨４１，４２，４３が引き下げられて閉傘状態となる。開傘状態は、下ろくろ３を上はじき７で係止することによって維持され、閉傘状態は下ろくろ３を下はじき８で係止することによって維持される。なお、中棒１の上部に設けられた半球状のストッパー１１は、下ろくろ３がこれ以上上方に移動しないようにするためのものである。ストッパー１１に当たる位置まで下ろくろ３を移動させると、後述するように、上はじき７の突出部７１が中棒１から外方に突出し、下ろくろ３の下方への移動が阻止されるようになる。
【００１９】
図５に、上はじき７による下ろくろ３の係止構造を示す垂直断面図を示す。中棒１の上部に上はじき７が埋め込まれている。上はじき７は、一方端側に幅広な突出部７１が形成された湾曲形状の金属製の板ばねであって、突出部７１の上面が中棒１の軸方向に対して垂直な係止面とされている。そして、中棒１に形成された軸方向に細長い開口部１２から突出部７１が弾発的に外方に突出している。
【００２０】
中棒１に沿って下ろくろ３を上方に摺動させて傘を開く際、下ろくろ３の上端が上はじき７の突出部７１に接触すると、下ろくろ３の内周面に押圧されて突出部７１は中棒１の中に没する。そして、下ろくろ３が上はじき７の突出部７１を通過すると、突出部７１は弾発力によって開口部１２から外方に突出する。これにより、突出部７１の係止面が下ろくろ３の下面に当接し、傘布６や骨構造からの力によって下ろくろ３が下方に移動しようとするのを阻止し、開傘状態が維持される。
【００２１】
一方、開傘状態から閉傘状態にする場合には、上はじき７の突出部７１に力を加えて中棒１の中に押し入れる。これにより、下ろくろ３は下方へ移動可能となる。下ろくろ３を下方へ移動させると、受け骨５によって親骨４１，４２，４３が引き下げられて次第に傘は閉じられる。そして、下はじき８で下ろくろ３を係止して閉傘状態とする。
【００２２】
図６に、下はじき８による下ろくろ３の係止構造を示す垂直断面図を、図７に斜視図をそれぞれ示す。下はじき８は、上はじき７と略同形状であって、上はじき７とは上下逆にして中棒１の下部に埋め込まれている。下はじき８の突出部８１は、中棒１に形成された軸方向に細長い開口部１３から弾発的に外方に突出している。突出部８１の下面が下ろくろ３を形成する係止面となる。下はじき８の突出部８１に下ろくろ３が接触すると、下ろくろ３の内周面に押圧されて突出部８１は中棒１の中に没する。そして、下ろくろ３に形成された軸方向に細長いスリット３０が、中棒１の開口部１３と重なると、突出部８１が弾発力によって開口部１３及びスリット３０を通って外方に突出する。これにより、突出部８１の係止面がスリット３０の下側面に当接し、下ろくろ３が上方に移動するしようとするのを阻止し、閉傘状態が維持される。
【００２３】
このような構造の本考案に係る傘において重要なことは、下はじき８の突出部８１の中棒１からの突出方向と、最も長い親骨４３の中棒１からの延出方向とのなす角度θを絶対値で９０°以上としたことにある（図１を参照）。これにより、使用者が下はじき８の突出部８１を中棒１に押し込んで、下はじき８と下ろくろ３との係止を解除し開傘する際に、最も長い親骨４３が使用者の方向に向かって開くことがなく、親骨４１，４２，４３や傘布６などが使用者に接触することが防止される。突出部８１の突出方向と親骨４３の延出方向とのなす角度θのより好ましい値は、絶対値で１５０°〜１８０°の範囲である。
【００２４】
また、図２に示すように、最も長い親骨４３が２本ある場合は、下はじき８の突出部８１の突出方向と、最も長い親骨４３のそれぞれの延出方向とのなす角度θ１及びθ２を絶対値で９０°以上とする。最も長い親骨４３が３本以上の場合も同様にそれぞれの角度を９０°以上とする。
【００２５】
そしてまた、下はじき８と下ろくろ３との係止を解除して開傘する際に、より開傘しやすくする観点からは、平面視において、中棒１を中心として、半円状の屈曲部を有する持ち手９の中棒１からの突出方向と、突出部８１の中棒１からの突出方向とのなす角度を絶対値で９０°以上とするのが好ましい。より好ましい持ち手９の中棒１からの突出方向は、最も長い親骨４３の延出方向と同方向である。
【００２６】
図８に、自動開傘機構を備えた傘の、下はじき付近の部分断面図を示す。下ろくろ３ａは、上下に配置された第１ろくろ３１と第２ろくろ３２とを備える。第１ろくろ３１と第２ろくろ３２との間には圧縮コイルばね３３が介装されており、第１ろくろ３１と第２ろくろ３２とは離反する方向に常に付勢されている。そして、第２ろくろ３２には、先端部が親骨４の途中部に軸支された受け骨５の基端部が軸支され、第１ろくろ３１には、先端部が受け骨５の途中部に軸支された支骨５１の基端部が軸支されている。一方、下はじき８ａは、弾発的に中棒１から突出する突出部８２と押釦８３とを有する。図８に示す閉傘状態から押釦８３を押すと、押釦８３と共に突出部８２が中棒１の中に没し、下はじき８ａと第１ろくろ３１との係止状態が解除されて、圧縮コイルばね３３によって第１ろくろ３１と第２ろくろ３２が離反方向に移動し、受け骨５と支骨５１が開く。これにより下ろくろ３は中棒１１に沿って自動的に上方に移動し、開傘状態となる。この場合、上はじきを設けなくても、下ろくろ３は下降せず開傘状態が維持される。
【００２７】
なお、以上説明した実施形態では、上はじき７の突出部７１と下はじき８の突出部８１を出没させるための開口部１２と開口部１３とは、中棒外周の軸方向に平行な同一直線上に形成していたが、中棒１の割れを防止する観点から周方向に異なる位置に設けてもよい。
【００２８】
また、中棒の長さを所定長さに抑える観点から、最も長い親骨４３を折り畳み可能としてもよい。例えば、図９に示すように、最も長い親骨４３を第１親骨４３ａと第２親骨４３ｂとに分割し、第１親骨４３ａの一方端を上ろくろ２に軸支し、他方端を第２親骨４３ｂの中途部に枢設する。また、受け骨５の一方端を下ろくろ３に軸支し、他方端を第１親骨４３ａの中途部に枢設する。さらに、連結骨５１の一方端を受け骨５の中途部に枢設し、他方端を第２親骨４３ｂの後端部に枢設する。このような連結構造により、下ろくろ３を中棒１に沿って下から上に移動させると、受け骨５によって第１親骨４３ａが上方に押し上げられるとともに、第２親骨４３ｂは外方へ伸展する。反対に、下ろくろ３を中棒１に沿って上から下に移動させると、第１親骨４３ａが引き下げられ、第２親骨４３ｂは内方へ折り畳まれる。折り畳んだときの親骨４３の長さは、次に長い親骨４２と等しい長さとするのが好ましい。もちろん、中棒１を伸縮可能とすると共に、親骨４１，４２，４３をすべて折り畳み可能としても構わない。
【産業上の利用可能性】
【００２９】
本考案に係る傘では、使用者が下はじき８の突出部８１を中棒１に押し込んで、下はじき８と下ろくろ３との係止を解除し開傘する際に、最も長い親骨４３が使用者の方向に向かって開くことがなく、親骨４３や傘布６などが使用者に接触することが防止され有用である。
【符号の説明】
【００３０】
１    中棒
２    上ろくろ
３    下ろくろ
５    受け骨
６    傘布
８    下はじき
９    持ち手
４１，４２，４３    親骨
８１    突出部
【図１】
0003170930.tif 000003
【図２】
0003170930.tif 000004
【図３】
0003170930.tif 000005
【図４】
0003170930.tif 000006
【図５】
0003170930.tif 000007
【図６】
0003170930.tif 000008
【図７】
0003170930.tif 000009
【図８】
0003170930.tif 000010
【図９】
0003170930.tif 000011